(57)【要約】【課題】専用部に対応した識別体の受け渡しを円滑に行うことができる入退室管理装置を提供する。【解決手段】入退室管理装置は、建物の出入口に設けられた出入口読取装置と、前記建物内の専用部の出入口に設けられた専用部読取装置と、前記専用部読取装置が前記専用部に対応した識別体を認識してから予め設定された時間が経過するまでの間に前記出入口読取装置が前記建物の出入口に対応した識別体を認識した場合は前記専用部を警戒解除状態に維持する制御装置と、を備えた。【選択図】図１
2014228883.tif 000002
【特許請求の範囲】
【請求項１】
建物の出入口に設けられた出入口読取装置と、
前記建物内の専用部の出入口に設けられた専用部読取装置と、
前記専用部読取装置が前記専用部に対応した識別体を認識してから予め設定された時間が経過するまでの間に前記出入口読取装置が前記建物の出入口に対応した識別体を認識した場合は前記専用部を警戒解除状態に維持する制御装置と、
を備えた入退室管理装置。
【請求項２】
前記出入口読取装置は、複数の専用部が設けられた建物の出入口に対応した識別体から専用部に関する情報を読み取り、
前記専用部読取装置は、前記複数の専用部の出入口の各々に設けられ、
前記制御装置は、前記専用部読取装置が専用部に対応した識別体を認識してから予め設定された時間が経過するまでの間に前記出入口読取装置が前記建物の出入口に対応した識別体から当該専用部に関する情報を読み取った場合は当該専用部を警戒解除状態に維持する請求項１に記載の入退室管理装置。
【請求項３】
前記予め設定された時間は、前記建物の出入口と前記専用部との距離に基づいて設定された請求項１又は請求項２に記載の入退室管理装置。
【請求項４】
前記出入口読取装置は、前記建物の出入口に対応した識別体を認識した際に前記専用部の状態に応じた音を出力する請求項１〜請求項３のいずれか一項に記載の入退室管理装置。
【発明の詳細な説明】
【技術分野】
【０００１】
この発明は、入退室管理装置に関するものである。
【背景技術】
【０００２】
例えば、特許文献１においては、専用部に対応した識別体で専用部の警備状態を変更する入退室管理装置が提案されている。当該入退室管理装置によれば、専用部に対応した識別体を警備員室等で管理することにより、専用部の警備状態を適切に制御し得る。
【先行技術文献】
【特許文献】
【０００３】
【特許文献１】特開２００２−９２７６０号公報
【特許文献２】特開２０１０−２０５０９２号公報
【特許文献３】特許第４３７８５４７号公報
【発明の概要】
【発明が解決しようとする課題】
【０００４】
しかしながら、特許文献１に記載のものにおいては、複数の利用者が異なる時間帯に専用部を利用する際に、専用部に対応した識別体の受け渡しが円滑に行われない場合もある。
【０００５】
この発明は、上述の課題を解決するためになされた。すなわち、この発明の目的は、専用部に対応した識別体の受け渡しを円滑に行うことができる入退室管理装置を提供することである。
【課題を解決するための手段】
【０００６】
この発明に係る入退室管理装置は、建物の出入口に設けられた出入口読取装置と、前記建物内の専用部の出入口に設けられた専用部読取装置と、前記専用部読取装置が前記専用部に対応した識別体を認識してから予め設定された時間が経過するまでの間に前記出入口読取装置が前記建物の出入口に対応した識別体を認識した場合は前記専用部を警戒解除状態に維持する制御装置と、を備えたものである。
【発明の効果】
【０００７】
この発明によれば、専用部に対応した識別体の受け渡しを円滑に行うことができる。
【図面の簡単な説明】
【０００８】
【図１】この発明の実施の形態１における入退室管理装置の構成図である。
【図２】この発明の実施の形態１における入退室管理装置に記憶された専用部の設定データを説明するための図である。
【図３】この発明の実施の形態１における入退室管理装置の動作の一部を説明するためのフローチャートである。
【図４】この発明の実施の形態１における入退室管理装置の動作の一部を説明するためのフローチャートである。
【図５】この発明の実施の形態１における入退室管理装置に管理された建物内でのカードの受け渡しを説明するための図である。
【図６】この発明の実施の形態１における入退室管理装置に管理された建物内でのカードの受け渡しを説明するための図である。
【図７】この発明の実施の形態１における入退室管理装置に管理された建物内でのカードの受け渡しを説明するための図である。
【発明を実施するための形態】
【０００９】
この発明を実施するための形態について添付の図面に従って説明する。各図中、同一又は相当する部分には同一の符号が付される。当該部分の重複説明は適宜に簡略化ないし省略される。
【００１０】
実施の形態１．
図１はこの発明の実施の形態１における入退室管理装置の構成図である。
【００１１】
図１において、建物１には、図示しない出入口が設けられる。出入口には、扉１ａが設けられる。扉１ａには、図示しない施錠装置が設けられる。建物１内には、図示しない警備員室が設けられる。建物１内には、図示しない第１専用部、図示しない第２専用部、図示しない第３専用部が設けられる。例えば、第１専用部は、建物１の１階に設けられる。例えば、第２専用部は、建物１の２階に設けられる。例えば、第３専用部は、建物１の３階に設けられる。
【００１２】
第１専用部には、図示しない出入口が設けられる。第１専用部の出入口には、扉２ａが設けられる。扉２ａには、図示しない施錠装置が設けられる。第２専用部には、図示しない出入口が設けられる。第２専用部の出入口には、扉３ａが設けられる。扉３ａには、図示しない施錠装置が設けられる。第３専用部には、図示しない出入口が設けられる。第３専用部の出入口には、扉４ａが設けられる。扉４ａには、図示しない施錠装置が設けられる。
【００１３】
建物１には、管理コントローラ５が設けられる。管理コントローラ５は、カードリーダ１ｂ、２ｂ、３ｂ、４ｂ、認証部６、記憶部７、８、制御部９を備える。
【００１４】
カードリーダ１ｂは、出入口読取装置として建物１の出入口に設けられる。カードリーダ２ｂは、専用部読取装置として第１専用部の出入口に設けられる。カードリーダ３ｂは、専用部読取装置として第２専用部の出入口に設けられる。カードリーダ４ｂは、専用部読取装置として第３専用部の出入口に設けられる。
【００１５】
認証部６は、カードリーダ１ｂ、２ｂ、３ｂ、４ｂに接続される。記憶部７は、認証用データを記憶する。認証用データは、カード番号を示す情報と専用部番号を示す情報とを対応付けたデータからなる。記憶部８は、専用部用データを記憶する。専用部用データは、第１〜第３専用部の設定データからなる。制御部９は、認証部６、記憶部７、８に接続する。制御部９は、扉１ａ、２ａ、３ａ、４ａの施錠装置に接続する。制御部９は、センター装置１０に接続する。
【００１６】
次に、図２を用いて、第１〜第３専用部の設定データの例を説明する。
図２はこの発明の実施の形態１における入退室管理装置に記憶された専用部の設定データを説明するための図である。
【００１７】
図２に示すように、記憶部８は、「状態」と「移行時間」と「タイマ」とを専用部毎に対応付けて記憶する。
【００１８】
「状態」は、各専用部の状態を示す。「状態」は、各専用部の施錠装置の状態に基づいて判定される。施錠装置が施錠されている際、「状態」は「警戒状態」となる。施錠装置が解錠されている際、「状態」は「警戒解除状態」となる。「移行時間」は、予め設定される。例えば、「移行時間」は、建物１の出入口と各専用部の出入口との距離に基づいて設定される。「タイマ」は、０になるまで時間の経過とともに減るように設定される。
【００１９】
次に、図３を用いて、利用者が建物１の出入口を通過する際の管理コントローラ５の動作を説明する。
図３はこの発明の実施の形態１における入退室管理装置の動作の一部を説明するためのフローチャートである。
【００２０】
ステップ１では、利用者は、建物１の出入口に対応した識別体を所持する。例えば、識別体は、カードからなる。利用者は、カードをカードリーダ１ｂにかざす。この際、カードリーダ１ｂは、カードを識別する。その後、ステップＳ２に進み、認証部６は、カードから読み取られたカード番号と認証用データのカード番号とが一致するか否かを判定する。
【００２１】
ステップＳ２でカードから読み取られたカード番号と認証用データのカード番号とが一致しない場合は、動作が終了する。ステップＳ２でカードから読み取られたカード番号と認証用データのカード番号とが一致した場合は、ステップＳ３に進む。ステップＳ３では、制御部９は、認証用データに基づいて当該カード番号に対応した専用部番号を把握する。その後、制御部９は、専用部用データに基づいて当該専用部番号に対応した専用部が警戒状態か否かを判定する。
【００２２】
ステップＳ３で当該専用部が警戒状態の場合は、ステップＳ４に進む。ステップＳ４では、制御部９は、警戒状態に対応した音をカードリーダ１ｂに出力させる。その後、ステップＳ５に進み、制御部９は、扉１ａの施錠装置を解錠する。その後、動作が終了する。
【００２３】
ステップＳ３で当該専用部が警戒状態でない場合は、ステップＳ６に進む。ステップＳ６では、制御部９は、警戒解除状態に対応した音をカードリーダ１ｂに出力させる。その後、ステップＳ７に進み、制御部９は、当該専用部のタイマに移行時間を設定する。その後、ステップＳ５に進み、制御部９は、扉１ａの施錠装置を解錠する。その後、動作が終了する。
【００２４】
次に、図４を用いて、利用者が専用部を利用する際の管理コントローラ５の動作を説明する。
図４はこの発明の実施の形態１における入退室管理装置の動作の一部を説明するためのフローチャートである。
【００２５】
ステップＳ１１では、利用者は、識別体を所持する。例えば、識別体は、カードからなる。利用者は、カードを専用部のカードリーダにかざす。例えば、専用部が第１専用部の場合、利用者は、カードをカードリーダ２ｂにかざす。この際、カードリーダ２ｂは、カードを識別する。その後、ステップＳ１２に進み、認証部６は、カードから読み取られたカード番号と認証用データのカード番号とが一致するか否かを判定する。
【００２６】
ステップＳ１２でカードから読み取られたカード番号と認証用データのカード番号とが一致しない場合は、動作が終了する。ステップＳ１２でカードから読み取られたカード番号と認証用データのカード番号とが一致した場合は、ステップＳ１３に進む。ステップＳ１３では、制御部９は、当該カードが当該専用部に対応した専用カードか否かを判定する。
【００２７】
ステップＳ１３で当該カードが当該専用部に対応した専用カードでない場合は、ステップＳ１４に進む。ステップＳ１４では、制御部９は、専用部用データに基づいて当該専用部が警戒状態か否かを判定する。ステップＳ１４で当該専用部が警戒状態の場合は、動作が終了する。ステップＳ１４で当該専用部が警戒状態でない場合は、ステップＳ１５に進む。ステップＳ１５では、制御部９は、扉の施錠装置を解錠する。例えば、当該専用部が第１専用部の場合、制御部９は、扉２ａの施錠装置を解錠する。その後、動作が終了する。
【００２８】
ステップＳ１３で当該専用部に対応した専用カードの場合は、ステップＳ１６に進む。ステップＳ１６では、制御部９は、当該専用部が警戒状態か否かを判定する。ステップＳ１６で当該専用部が警戒状態の場合は、ステップＳ１７に進む。ステップＳ１７では、制御部９は、当該専用部を警戒解除状態にする。その後、動作が終了する。
【００２９】
ステップＳ１６で当該専用部が警戒状態でない場合は、ステップＳ１８に進む。ステップＳ１８では、制御部９は、当該専用部のタイマが０か否かを判定する。ステップＳ１８で当該専用部のタイマが０でない場合は、動作が終了する。
【００３０】
ステップＳ１８で当該専用部のタイマが０の場合は、ステップＳ１９に進む。ステップＳ１９では、制御部９は、当該専用部のタイマに移行時間を設定する。その後、ステップＳ２０に進み、制御部９は、当該専用部のタイマが０か否かを判定する。
【００３１】
ステップＳ２０で当該専用部のタイマが０でない場合は、ステップＳ２１に進む。ステップＳ２１では、制御部９は、当該専用部の利用を希望する利用者が建物１の出入口から進入したか否かを判定する。
【００３２】
ステップＳ２１で当該専用部の利用を希望する利用者が建物１の出入口から進入していない場合は、ステップＳ２０に戻る。ステップＳ２１で当該専用部の利用を希望する利用者が建物１の出入口から進入した場合は、動作が終了する。
【００３３】
ステップＳ２０で当該専用部のタイマが０の場合は、ステップＳ２２に進む。ステップＳ２２では、制御部９は、当該専用部を警戒状態にする。その後、動作が終了する。
【００３４】
次に、図５〜図７を用いて、専用部に対応した専用カードの受け渡しを説明する。
図５〜図７はこの発明の実施の形態１における入退室管理装置に管理された建物内でのカードの受け渡しを説明するための図である。
【００３５】
図５に示すように、建物１の出入口は、共用部につながる。共用部の中央には、部屋が設けられる。共用部の一側かつ手前側には、階段が設けられる。共用部の他側かつ奥側には、エレベータが設けられる。共用部の奥側には、第１専用部が設けられる。共用部の他側かつ手前側には、警備員室が設けられる。
【００３６】
現時点で、第１専用部は利用されている。このため、第１専用部に対応した専用カードは、警備員室に保管されていない。現時点で、第２専用部は利用されていない。このため、第２専用部に対応した専用カードは、警備員室に保管されている。現時点で、第３専用部は利用されていない。このため、第３専用部に対応した専用カードは、警備員室に保管されている。
【００３７】
図５において、利用者Ａは建物１の出入口で認証される。制御部９は、認証用データに基づいて利用者Ａが第１専用部の利用を希望することを把握する。制御部９は、警戒解除状態に対応した音をカードリーダ１ｂに出力させる。当該音により、利用者Ａは、第１専用部に対応した専用カードが警備員室に保管されていないことを把握する。この際、第１専用部のタイマには、移行時間が設定される。
【００３８】
図６に示すように、利用者Ａは、第１専用部に向けて共用部を移動する。利用者Ｂは、第１専用部の利用を終了すると、カードリーダ２ｂに対し、第１専用部を警戒状態にする操作を行う。この際、第１専用部のタイマは０となっていない。このため、第１専用部は警戒解除状態に維持される。その結果、利用者Ｂは、第１専用部の利用を希望する者の存在を認識する。この場合、利用者Ｂは、扉２ａの前で該当者を待つ。
【００３９】
図７に示すように、利用者Ａは、扉２ａの前に到着する。この際、利用者Ｂは、第１専用部の利用を希望する者が利用者Ａであると判断する。この場合、利用者Ｂは、第１専用部に対応した専用カードを利用者Ａに渡す。
【００４０】
以上で説明した実施の形態１によれば、カードリーダ２ｂ等が専用カードを認識してから移行時間が経過するまでの間にカードリーダ１ｂがカードを認識した場合、制御部９は、制御装置として、当該専用部は警戒解除状態に維持する。この際、専用部の利用者は、専用部の利用を希望する者の存在を認識する。このため、警備員室と専用部との間に、複数の動線がある場合でも、専用部に対応した専用カードの受け渡しを円滑に行うことができる。
【００４１】
例えば、２階以上の専用部への移動は、階段又はエレベータを必要とする。このため、より多くの動線がある。この場合でも、専用部に対応した専用カードの受け渡しを円滑に行うことができる。
【００４２】
また、カードリーダ１ｂがカードを認識した際、専用部データに基づいて利用者の利用する専用部が把握される。このため、当該専用部以外の専用部を警戒状態に維持することができる。
【００４３】
また、移行時間は、建物１の出入口と各専用部の出入口との距離に基づいて設定される。このため、各専用部に対し、妥当な移動時間を設定することができる。
【００４４】
また、カードリーダ１ｂは、利用者の利用する専用部の状態に応じた音を出力する。このため、警戒解除状態に対応した音が出力された際、利用者は警備員室で専用カードを受け取ることを把握できる。警備状態に対応した音が出力された際、利用者は当該専用部の前で専用カードを受け取ることを把握できる。
【符号の説明】
【００４５】
１  建物、  １ａ  扉、  １ｂ  カードリーダ、  ２ａ  扉、  ２ｂ  カードリーダ、
３ａ  扉、  ３ｂ  カードリーダ、  ４ａ  扉、  ４ｂ  カードリーダ、  ５  管理コントローラ、  ６  認証部、  ７  記憶部、  ８  記憶部、  ９  制御部、  １０  センター装置
【図１】
2014228883.tif 000003
【図２】
2014228883.tif 000004
【図３】
2014228883.tif 000005
【図４】
2014228883.tif 000006
【図５】
2014228883.tif 000007
【図６】
2014228883.tif 000008
【図７】
2014228883.tif 000009